(57)【要約】【課題】  ステープルや粘着テープを使わずに簡単に底板を固定できると共に、底板の固定強度が高い段ボールケースを提供する。【解決手段】  側板１１〜１４を胴状に折り曲げ、底板３２及び底板３４を内側に曲げ、底板３２の切込８１及び８２と底板３４の切込８３及び８４とを対向させて、差込口９１及び９２を生じさせ、底板３２及び３４を中に押し込むことで差込口９１及び９２を広げ、広げられた差込口９１及び９２に底板３１及び３２の差込部７２及び７４を挿入させ、底板３１〜３４を中から押して、底板３１〜３４を平面に戻す。底板３１〜３４を平面に戻すと、差込部７２及び７４が差込口９１及び９２に係合され、底板が固定される。【選択図】        図４
0003105761.tif 000002
【実用新案登録請求の範囲】
【請求項１】
側縁が互いに連続している第１〜第４の側板と、前記第１〜第４の側板の下縁にそれぞれ連続している第１〜第４の底板とを有し、
前記第１及び前記第３の底板のそれぞれの両側縁を先端に向かう従ってその幅が狭くなるように斜めに切断して台形部を形成し、該台形部の先端に連続して差込部を形成し、
前記第２及び前記第４の底板の下縁に、それぞれ、２つの三角形状の切込を形成し、
前記第１の側板と前記第３の側板とが対向し、前記第２の側板と前記第４の側板とが対向するように、前記第１〜第４の側板を胴状に折り曲げ、
前記第２及び前記第４の底板を内側に折り曲げて前記第２及び前記第４の底板のそれぞれ２つの三角形状の切込を互いに対向させて第１及び第２の差込口を形成し、
前記第２及び第４の底板を中に押し込んで前記第１及び第２の差込口を広げ、前記第１及び前記第３の底板を内側に折り曲げ、前記第１の底板及び前記第３の底板の差込部を前記第１及び第２の差込口に挿入し、
前記第１〜第４の底板を平面状にして、前記第１の底板及び前記第３の底板の差込部を前記前記第１及び第２の差込口に係合させて固定する
ようにしたことを特徴とする段ボールケース。
【請求項２】
前記第２及び前記第４の底板の側縁から切込の底辺までの長さは、前記第１及び前記第３の底板の台形部の高さにほぼ等しくするようにしたことを特徴とする請求項１に記載の段ボールケース。
【請求項３】
前記第２及び前記第４の底板の切込の深さは、前記第１及び前記第３の底板の台形部の先端の幅のほぼ１／２にするようにしたことを特徴とする請求項１に記載の段ボールケース。
【請求項４】
前記第１及び前記第３の底板の差込部の幅は、前記台形部の先端の幅より長くするようにしたことを特徴とする請求項１に記載の段ボールケース。
【考案の詳細な説明】
【技術分野】
【０００１】
本考案は、粘着テープやステープルを用いることなく、ケースの底を簡単に強固に保持できる段ボールケースに関する。
【背景技術】
【０００２】
従来、段ボールケースの底板は、ステープルや粘着テープで綴じ合せて固定している。しかしながら、ステープルや粘着テープを用いて底板を固定する作業は手間がかかる。また、段ボールケースの底板をステープルで固定してしまうと、段ボールを分解したときに、ステープルがうまく外せず、底板が破れて、段ボールケースを繰り返して使用できなくなることがある。また、段ボールケースの底板を粘着テープを用いて固定すると、段ボールを分解したときに、底板の表面が破れて、段ボールケースを繰り返して使用できなくなる。
【０００３】
そこで、例えば特許文献１に示されるように、差し込み方向に向かって略逆八の字状に広がる形状に設けられた第１の切込線と、この第１の切込線の両先端から幅方向間隔が一定長に近づく位置まで設けられた第２の切込線と、この第２の切込線の近接両端から更に前記差し込み方向に向かって凸状に設けられた第３の切込線との連続により差込孔を形成し、これに差込まれる差込片を、前記第１の切込線の両先端幅寸法に略一致した幅寸法を有し、かつ最大差込み状態において前記第３の切込線先端を越える位置までの長さ寸法を有するようにしたものが提案されている。
【特許文献１】特開平７−２０５９５４号公報
【考案の開示】
【考案が解決しようとする課題】
【０００４】
しかしながら、特許文献１に示されるものは、差込片や切込線の形状が複雑であると共に、差込辺を差込孔に挿入する作業が必要であり、段ボールを組み立てるのに手間がかかる。また、差込片を差込孔に差し込んで底板を固定しているだけなので、段ボールケースに重いものを入れると、底が割れてしまう可能性がある。
【０００５】
本考案は、上述の課題を鑑み、ステープルや粘着テープを使わずに簡単に底板を固定できると共に、底板の固定強度が高い段ボールケースを提供することを目的とする。
【課題を解決するための手段】
【０００６】
上述の課題を解決するために、本考案の段ボールケースは、側縁が互いに連続している第１〜第４の側板と、第１〜第４の側板の下縁にそれぞれ連続している第１〜第４の底板とを有し、第１及び第３の底板のそれぞれの両側縁を先端に向かう従ってその幅が狭くなるように斜めに切断して台形部を形成し、この台形部の先端に連続して差込部を形成し、第２及び第４の底板の下縁には、それぞれ、２つの三角形状の切込を形成し、第１の側板と第３の側板とが対向し、第２の側板と第４の側板とが対向するように、第１〜第４の側板を胴状に折り曲げ、第２及び第４の底板を内側に折り曲げて第２及び第４の底板のそれぞれ２つの三角形状の切込を互いに対向させて第１及び第２の差込口を形成し、第２及び第４の底板を中に押し込んで第１及び第２の差込口を広げ、第１及び第３の底板を内側に折り曲げ、第１の底板及び第３の底板の差込部を第１及び第２の差込口に挿入し、第１〜第４の底板を平面状にして、第１の底板及び第３の底板の差込部を第１及び第２の差込口に係合させて固定するようにしたことを特徴とする。
【０００７】
好ましくは、第２及び第４の底板の側縁から切込の底辺までの長さは、第１及び第３の底板の台形部の高さにほぼ等しくするようにしたことを特徴とする。
【０００８】
好ましくは、第２及び第４の底板の切込の深さは、第１及び第３の底板の台形部の先端の幅のほぼ１／２にするようにしたことを特徴とする。
【０００９】
好ましくは、第１及び第３の底板の差込部の幅は、台形部の先端の幅より長くするようにしたことを特徴とする。
【考案の効果】
【００１０】
本考案によれば、側縁が互いに連続している第１〜第４の側板と、第１〜第４の側板の下縁にそれぞれ連続している第１〜第４の底板とを有し、第１及び第３の底板のそれぞれの両側縁を先端に向かう従ってその幅が狭くなるように斜めに切断して台形部を形成し、台形部の先端に連続して差込部を形成し、第２及び第４の底板の下縁に、それぞれ、２つの三角形状の切込を形成し、第１の側板と第３の側板とが対向し、第２の側板と第４の側板とが対向するように、第１〜第４の側板を胴状に折り曲げ、第２及び第４の底板を内側に折り曲げて第２及び第４の底板のそれぞれ２つの三角形状の切込を互いに対向させて第１及び第２の差込口を形成し、第２及び第４の底板を中に押し込んで第１及び第２の差込口を広げ、第１及び第３の底板を内側に折り曲げ、第１の底板及び第３の底板の差込部を第１及び第２の差込口に挿入し、第１〜第４の底板を平面状にして、第１の底板及び第３の底板の差込部を第１及び第２の差込口に係合させて固定するようにしているので、ステープルや粘着テープを使わずに、段ボールケースの底板を簡単に固定できると共に、底板が強固に固定される。
【００１１】
本考案では、第２及び第４の底板の側縁から切込の底辺までの長さを、第１及び第３の底板の台形部の高さにほぼ等しくすることで、第１及び第３の底板の差込部の位置と第２及び第４の底板の差込口の位置を対応させることができる。
【００１２】
本考案では、第２及び第４の底板の切込の深さを第１及び第３の底板の台形部の先端の幅のほぼ１／２にすることで、第１及び第３の底板の差込部を第２及び第４の底板の差込口に確実に係合させることができる。
【００１３】
本考案では、第１及び第３の底板の差込部幅を台形部の先端の幅より長くすることで、第１及び第３の底板の差込部が第２及び第４の底板の差込口から簡単に抜けなくなり、底板の強度を増加させることができる。
【考案を実施するための最良の形態】
【００１４】
以下、本考案の実施形態について図面を参照しながら説明する。図１は、本考案の実施形態を示す展開図である。図１において、１１〜１４は側板、２１〜２４は天板、３１〜３４は底板である。図１に示すように、側板１１の右側縁と側板１２の左側縁とは連続し、側板１２の右側縁と側板１３の左側縁とは連続し、側板１３の右側縁と側板１４の左側縁とは連続している。側板１４の右側縁には糊代２０が設けられる。側板１１と側板１２との間には折線４１が設けられ、側板１２と側板１３との間には折線４２が設けられ、側板１３と側板１４との間には折線４３が設けられる。側板１４と糊代２０との間には折線４４が設けられる。
【００１５】
側板１１及び側板１３は、段ボールケース１を組み立てたときに互いに対向して短辺の側板となるものである。側板１２及び側板１４は、段ボールケース１を組み立てたときに互いに対向して長辺の側板となるものである。糊代２０は、側板１１と側板１４とを接着して胴状にするためのものである。
【００１６】
側板１１の上側縁と天板２１の下側縁とは連続し、側板１２の上側縁と天板２２の下側縁とは連続し、側板１３の上側縁と天板２３の下側縁とは連続し、側板１４の上側縁と天板２４の下側縁とは連続している。側板１１と天板２１との間には折線４５が設けられ、側板１２と天板２２との間には折線４６が設けられ、側板１３と天板２３との間には折線４７が設けられ、側板１４と天板２４との間には折線４８が設けられる。天板２１と天板２２との間には切込線６１が設けられ、天板２２と天板２３との間には切込線６２が設けられ、天板２３と天板２４との間には切込線６３が設けられる。
【００１７】
側板１１の下側縁と底板３１の上側縁とは連続し、側板１２の下側縁と底板３２の上側縁とは連続し、側板１３の下側縁と底板３３の上側縁とは連続し、側板１４の下側縁と底板３４の上側縁とは連続している。側板１１と底板３１との間には折線４９が設けられ、側板１２と底板３２との間には折線５０が設けられ、側板１３と底板３３との間には折線５１が設けられ、側板１４と底板３４との間には折線５２が設けられる。
【００１８】
底板３１の両側縁は、先端に向かう従ってその幅が狭くなるように斜めに切断されており、これにより、台形部７１が形成される。台形部７１の先端に連続して、差込部７２が形成される。同様に、底板３３の両側縁は、先端に向かう従ってその幅が狭くなるように斜めに切断されており、これにより、台形部７３が形成される。
【００１９】
底板３２の下縁には、２つの三角形状の切込８１及び８２が形成される。同様に、底板３４の下縁には、２つの三角形状の切込８３及び８４が形成される。
【００２０】
底板３２の左側縁から切込８１の三角形の底辺までの長さＬ１１は、底板３１の台形部７１の高さＬ２１にほぼ等しい。底板３２の右側縁から切込８２の三角形の底辺までの長さＬ１２は、底板３３の台形部７３の高さＬ２２にほぼ等しい。底板３４の左側縁から切込８３の三角形の底辺Ｌ１３までの長さは、底板３３の台形部７３の高さＬ２２にほぼ等しい。底板３４の右側縁から切込８４の三角形の底辺までの長さＬ１４は、底板３１の台形部７１の高さＬ２１にほぼ等しい。
【００２１】
また、切込８１の深さＬ１は、底板３１の台形部７１の先端の幅のＬ４１の１／２にほぼ等しい。切込８２の深さＬ２は、底板３３の台形部７４の先端の幅のＬ４２の１／２にほぼ等しい。切込８３の深さＬ３は、底板３３の台形部７４の先端の幅Ｌ４２の１／２にほぼ等しい。切込８４の深さＬ４は、底板３１の台形部７１の先端の幅Ｌ４１の１／２にほぼ等しい。
【００２２】
また、差込部７２の幅Ｌ５１は、台形部７１の先端の幅Ｌ４１より長くなっている。また、差込部７４の幅Ｌ５２は、台形部７３の先端の幅Ｌ４２より長くなっている。
【００２３】
図２〜図６は、本考案が適用された段ボールケース１の組み立て工程を示すものである。なお、底板を組み立てるときには、段ボールケース１の底板が上側になるように段ボールケース１を逆さにして作業を行う。図２〜図６では、実際の組み立てに則して、底板を上側にして示している。
【００２４】
先ず、側板１１の左側縁と側板１４の右側縁とを糊代２０により接着し、図２に示すように、側板１１と側板１３とが対向し、側板１２と側板１４とが対向するように、段ボールを胴状に折り曲げる。
【００２５】
次に、底板３２及び３４を、図３示すように、内側に折り曲げる。底板３２及び３４を折り曲げると、図３に示すように、底板３２の切込８１と底板３４の切込８４とが対向し、三角形状の差込口９１が生じる。また、底板３２の三角形の切込８２と底板３４の切込８３とが対向し、三角形状の差込口９２が生じる。
【００２６】
次に、図４に示すように、底板３２及び３４を中に押し込む。底板３２及び３４を中に押し込んでいくと、図４に示すように、底板３２と底板３４との間に隙間が生じていき、差込口９１及び差込口９２が広がっていく。このように、広げられた差込口９１及び９２に、図５に示すように、底板３１及び底板３３の差込部７２及び７４を挿入する。
【００２７】
差込部７２及び７４が差込口９１及び９２に挿入されたら、底板３１〜３４を中から押して、図６に示すように、底板３１〜３４を平面状にする。底板３１〜３４が平面状にすると、差込部７２及び７４が差込口９１及び９２に係合されて固定される。
【００２８】
図７は、段ボールケース１の底板が固定されたときの様子をケースの中側から見たときの図である。図７に示すように、底板３１の差込部７２が差込口９１内に係合され、底板３３の差込部７４が差込口９２に係合される。このような係合により、底板３１〜底板３４は強固に結合される。
【００２９】
以上説明したように、本考案の実施形態の段ボールケースでは、側板１１〜１４を胴状に折り曲げ、底板３２及び底板３４を内側に曲げ、底板３２の切込８１及び８２と底板３４の切込８３及び８４とを対向させて差込口９１及び９２を生じさせ、底板３２及び３４を中に押し込むことで差込口９１及び９２を広げ、この広げられた差込口９１及び９２に底板３１及び３２の差込部７２及び７４を挿入させ、底板３１〜３４を中から押して、底板３１〜３４を平面状にして、差込部７２及び７４を差込口９１及び９２に係合させることで、底板３１〜底板３４を固定している。これにより、ステープルや粘着テープを用いることなく、簡単に、強固に底板を固定することができる。
【００３０】
また、底板３２の左側縁から切込８１の三角形の底辺までの長さＬ１１は底板３１の台形部７１の高さＬ２１にほぼ等しく、底板３２の右側縁から切込８２の三角形の底辺までの長さＬ１２は底板３３の台形部７３の高さＬ２２にほぼ等しく、底板３４の左側縁から切込８３の三角形の底辺Ｌ１３までの長さは底板３３の台形部７３の高さＬ２２にほぼ等しく、底板３４の右側縁から切込８４の三角形の底辺までの長さＬ１４は底板３１の台形部７１の高さＬ２１にほぼ等しいので、差込部７２及び７４の位置と差込口９１及び９２の位置とが対応するようになり、差込部７２及び７４と差込口９１及び９２とを確実に係合させることができる。
【００３１】
また、切込８１の深さＬ１は底板３１の台形部７１の先端の幅のＬ４１の１／２にほぼ等しく、切込８２の深さＬ２は底板３３の台形部７４の先端の幅のＬ４２の１／２にほぼ等しく、切込８３の深さＬ３は底板３３の台形部７４の先端の幅Ｌ４２の１／２にほぼ等しく、切込８４の深さＬ４は底板３１の台形部７１の先端の幅Ｌ４１の１／２にほぼ等しいので、差込部７２及び７４を差込口９１及び９２に挿入したときに、差込部７２及び７４の大きさと差込口９１及び９２の大きさとが対応するようになり、差込部７２及び７４と差込口９１及び９２とが確実に係合する。
【００３２】
また、差込部７２の幅Ｌ５１は台形部７１の先端の幅Ｌ４１より長く、差込部７４の幅Ｌ５２は台形部７３の先端の幅Ｌ４２より長くなっているので、差込部７２及び７４を差込口９１及び９２に挿入したときに、差込部７２及び７４が差込口９１及び９２から簡単に抜けなくなり、底板の強度を増加させることができる。
【００３３】
本考案は、上述した実施形態に限定されるものではなく、この考案の要旨を逸脱しない範囲内で様々な変形や応用が可能である。例えば、図８に示すように、底板３２、３４の切込８１及び８２、８３及び８４の切込の角部ｔ１〜ｔ４を面取りするようにしておくと、角が損傷することが防げる。
【産業上の利用可能性】
【００３４】
本考案は、各種の荷物の包装に用いる段ボールケースとして用いることができる。
【図面の簡単な説明】
【００３５】
【図１】本考案の実施形態の段ボールケースの展開図である。
【図２】本考案の実施形態の段ボールケースの組み立て工程を示す斜視図である。
【図３】本考案の実施形態の段ボールケースの組み立て工程を示す斜視図である。
【図４】本考案の実施形態の段ボールケースの組み立て工程を示す斜視図である。
【図５】本考案の実施形態の段ボールケースの組み立て工程を示す斜視図である。
【図６】本考案の実施形態の段ボールケースの組み立て工程を示す斜視図である。
【図７】本考案の実施形態の段ボールケースの底板の係合状態を示す平面図である。
【図８】本考案の実施形態の段ボールケースの変形例の側面図である。
【符号の説明】
【００３６】
１１〜１４  側板
２０  糊代
２１〜２４  天板
３１〜３４  底板
４１〜５２  折線
６１〜６３  切込線
７１、７３  台形部
７２、７４  差込部
８１〜８４  切込
９１、９２  差込口
【図１】
0003105761.tif 000003
【図２】
0003105761.tif 000004
【図３】
0003105761.tif 000005
【図４】
0003105761.tif 000006
【図５】
0003105761.tif 000007
【図６】
0003105761.tif 000008
【図７】
0003105761.tif 000009
【図８】
0003105761.tif 000010